(57)【要約】【課題】支持装置に支持されている掃除機をハンディ型の掃除機として簡単に取り外すことができる掃除機システムを提供する。【解決手段】掃除機システム１は、掃除機２及び支持装置３を備える。掃除機２は、吸い込み具４、管体５及び本体６を備える。本体６は、管体５に着脱可能である。支持装置３は、管体５を保持するための保持体２２を備える。掃除機２が保持体２２に保持されている状態から掃除機２が上方に移動すると、本体６が管体５から外れる。掃除機２が保持体２２に保持されている状態から掃除機２が特定の横方向に移動すると、掃除機２が保持体２２から外れる。【選択図】図２５
2018015421.tif 000002
【特許請求の範囲】
【請求項１】
掃除機と、
前記掃除機を支持する支持装置と、
を備え、
前記掃除機は、
ごみを吸い込むための吸い込み具と、
前記吸い込み具に接続された管体と、
送風機を有し、前記管体に着脱可能な本体と、
を備え、
前記支持装置は、前記管体を保持するための保持体を備え、
前記掃除機が前記保持体に保持されている状態から前記掃除機が上方に移動すると、前記本体が前記管体から外れ、
前記掃除機が前記保持体に保持されている状態から前記掃除機が特定の横方向に移動すると、前記掃除機が前記保持体から外れる掃除機システム。
【請求項２】
前記管体は、
端部に前記本体が接続される中空の棒状部と、
前記棒状部に設けられ、前記本体を前記棒状部の前記端部に接続する第１位置及び前記本体を前記棒状部の前記端部から取り外し可能にする第２位置に配置されるラッチ部と、
前記ラッチ部が前記第１位置に配置されるように前記ラッチ部を押し付ける押し付け部と、
を備え、
前記保持体は、前記棒状部を両側から挟み、
前記掃除機が前記保持体に挟まれた状態から前記掃除機が上方に移動すると、前記掃除機が前記保持体に挟まれたまま前記ラッチ部が前記第１位置から前記第２位置に配置され、
前記掃除機が前記保持体に挟まれた状態から前記掃除機が前記特定の横方向に移動すると、前記ラッチ部が前記第１位置に配置されたまま前記棒状部が前記掃除機から外れる請求項１に記載の掃除機システム。
【請求項３】
前記保持体は、
第１保持板と、
前記第１保持板に対向する第２保持板と、
前記第１保持板に設けられ、前記第２保持板側に突出する第１凸部と、
前記第２保持板に設けられ、前記第１保持板側に突出する第２凸部と、
を備え、
前記第１保持板及び前記第２保持板は、前記棒状部を両側から挟み、
前記棒状部に、前記第１凸部が嵌る第１凹部と前記第２凸部が嵌る第２凹部とが形成された請求項２に記載の掃除機システム。
【請求項４】
前記ラッチ部は、先端部が前記棒状部から離れることによって前記第１位置から前記第２位置に変位し、
前記ラッチ部の前記先端部は、前記棒状部の前記端部の先端側に延び、
前記ラッチ部の前記先端部に、先端に近づくに従って前記棒状部から離れるガイド面が形成され、
前記保持体は、前記ガイド面に上方から対向する解除部を備えた請求項２又は請求項３に記載の掃除機システム。
【請求項５】
前記保持体は、前記管体が上方に移動することを規制するための規制部を更に備え、
前記規制部は、前記棒状部が前記保持体に挟まれた状態から前記棒状部が上方に移動すると、前記解除部が前記ガイド面に接触した後に前記管体に接触する請求項４に記載の掃除機システム。
【請求項６】
前記管体は、前記ラッチ部の一部を覆うカバーを更に備え、
前記規制部は、前記解除部が前記ガイド面に接触した後に前記カバーの上端部に接触する請求項５に記載の掃除機システム。
【請求項７】
前記支持装置は、
前記保持体より下方に配置された基体と、
前記基体に設けられ、前記保持体を支持する支持体と、
を更に備え、
前記基体は、前記吸い込み具を特定の位置に配置するための位置決め部を備え、
前記掃除機は、前記吸い込み具が前記特定の位置に配置された状態で前記保持体に側方から押し付けられることにより、前記保持体に保持される請求項１から請求項６の何れか一項に記載の掃除機システム。
【発明の詳細な説明】
【技術分野】
【０００１】
この発明は、掃除機及び掃除機を支持する支持装置を備えた掃除機システムに関する。
【背景技術】
【０００２】
特許文献１に、掃除機とスタンドとを備えたシステムが記載されている。特許文献１に記載された掃除機は、スタンドに立て掛けられる。掃除機は、直立した状態でスタンドに支持される。
【先行技術文献】
【特許文献】
【０００３】
【特許文献１】特開２０１４−１２４４４３号公報
【発明の概要】
【発明が解決しようとする課題】
【０００４】
所謂スティック型の掃除機は、例えば吸い込み具、管体及び本体を備える。吸い込み具は、管体の一方の端部に接続される。本体は、管体の他方の端部に接続される。本体は、一般に管体に着脱可能である。本体を管体から取り外すと、ハンディ型の掃除機として使用できる。
【０００５】
特許文献１に記載された掃除機は、スタンドから外せばスティック型の掃除機として使用できる。一方、掃除機をハンディ型として使用する場合は、掃除機全体をスタンドから外した後に、本体を管体から外さなければならない。また、本体を管体から外した後に、本体が外された管体及び吸い込み具をスタンドに立て掛けなければならない。このため、使い勝手が悪いという問題があった。
【０００６】
この発明は、上述のような課題を解決するためになされた。この発明の目的は、支持装置に支持されている掃除機をハンディ型の掃除機として簡単に取り外すことができる掃除機システムを提供することである。
【課題を解決するための手段】
【０００７】
この発明に係る掃除機システムは、掃除機と、掃除機を支持する支持装置と、を備える。掃除機は、ごみを吸い込むための吸い込み具と、吸い込み具に接続された管体と、送風機を有し、管体に着脱可能な本体と、を備える。支持装置は、管体を保持するための保持体を備える。掃除機が保持体に保持されている状態から掃除機が上方に移動すると、本体が管体から外れる。掃除機が保持体に保持されている状態から掃除機が特定の横方向に移動すると、掃除機が保持体から外れる。
【発明の効果】
【０００８】
この発明に係る掃除機システムでは、掃除機が保持体に保持されている状態から掃除機が上方に移動すると、本体が管体から外れる。掃除機が保持体に保持されている状態から掃除機が特定の横方向に移動すると、掃除機が保持体から外れる。この発明に係る掃除機システムであれば、支持装置に支持されている掃除機をハンディ型の掃除機として簡単に取り外すことができる。
【図面の簡単な説明】
【０００９】
【図１】この発明の実施の形態１における掃除機システムの例を示す斜視図である。
【図２】この発明の実施の形態１における掃除機システムの例を示す斜視図である。
【図３】図１及び図２に示す掃除機システムの側面図である。
【図４】図１及び図２に示す掃除機システムの平面図である。
【図５】掃除機を示す側面図である。
【図６】図４のＡ−Ａ線で掃除機を切断した図である。
【図７】図５に示すＢ部の拡大図である。
【図８】図６に示すＣ部の拡大図である。
【図９】支持装置を示す斜視図である。
【図１０】支持装置を示す側面図である。
【図１１】支持装置を示す平面図である。
【図１２】基体を拡大した斜視図である。
【図１３】図４のＤ−Ｄ線で基体を切断した図である。
【図１４】図４のＤ−Ｄ線で掃除機の一部と支持装置の一部とを切断した図である。
【図１５】保持体を拡大した斜視図である。
【図１６】図１０のＥ−Ｅ線で保持体を切断した図である。
【図１７】図４のＡ−Ａ線で保持体を切断した図である。
【図１８】掃除機を支持装置に支持させる直前の状態を示す図である。
【図１９】吸い込み具が特定位置に配置された状態を示す図である。
【図２０】図３のＨ−Ｈ断面の一部を示す図である。
【図２１】図４のＡ−Ａ線で掃除機の一部と支持装置の一部とを切断した図である。
【図２２】図２１に示すＭ部を拡大した図である。
【図２３】図４のＡ−Ａ線で掃除機の一部と支持装置の一部とを切断した図である。
【図２４】図２３に示すＮ部を拡大した図である。
【図２５】本体が管体から外れた状態を示す図である。
【図２６】支持装置の他の例を示す断面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１及び図２は、この発明の実施の形態１における掃除機システム１の例を示す斜視図である。図３は、図１及び図２に示す掃除機システム１の側面図である。図４は、図１及び図２に示す掃除機システム１の平面図である。掃除機システム１は、例えば掃除機２及び支持装置３を備える。図１及び図２に示す掃除機２は、所謂スティック型の掃除機である。支持装置３は、掃除機２を支持する。
【００１２】
図５は、掃除機２を示す側面図である。図６は、図４のＡ−Ａ線で掃除機２を切断した図である。掃除機２に関しては、掃除機２で掃除をする人の向きを基準に、図４に示すように左右を特定する。同様に、図５に示すように前後及び上下を特定する。掃除機２は、例えば吸い込み具４、管体５及び本体６を備える。
【００１３】
吸い込み具４は、管体５の一方の端部に接続される。吸い込み具４は管体５に着脱可能である。本体６は、管体５の他方の端部に接続される。本体６は管体５に着脱可能である。吸い込み具４に、ごみを吸い込むための開口７が形成される。本体６に、ごみが除かれた空気が吹き出される開口８が形成される。掃除機２に、開口７から開口８に通じる風路９が形成される。
【００１４】
本体６は、例えば送風機１０、集塵部１１、ハンドル１２、操作パネル１３、制御装置１４及び二次電池１５を備える。
【００１５】
送風機１０は、風路９に気流を発生させる。送風機１０によって風路９に気流が発生すると、開口７から空気が吸い込まれる。開口７から吸い込まれた空気は、風路９を通過する。即ち、開口７から吸い込まれた空気は、吸い込み具４、管体５及び本体６を通過し、開口８から吹き出される。風路９に気流が発生すると、空気と共にごみが開口７から吸い込まれる。開口７から吸い込まれたごみは、集塵部１１で気流から分離される。開口８からはごみが除かれた空気が吹き出される。
【００１６】
ハンドル１２は、掃除をする際に人が持つ部分である。操作パネル１３は、人がハンドル１２を持った手で操作するためのものである。操作パネル１３は、例えば複数の釦を備える。制御装置１４は、掃除機２に備えられた機器を制御する。例えば、操作パネル１３の釦が押されたことを示す信号が制御装置１４に入力される。制御装置１４は、入力された信号に基づいて機器を制御する。例えば、制御装置１４は、送風機１０を制御する。二次電池１５は、掃除機２に備えられた機器に電力を供給する。例えば、二次電池１５は、制御装置１４に電力を供給する。
【００１７】
このように、掃除機２はスティック型の掃除機として使用される。一方、掃除機２は、本体６を管体５から取り外すことにより、ハンディ型の掃除機としても使用できる。ハンディ型の掃除機として使用する場合は、管体５から取り外した本体６のみを使用すれば良い。また、管体５が接続されていた本体６の端部６ａに、他の吸い込み具を接続しても良い。
【００１８】
図７は、図５に示すＢ部の拡大図である。図８は、図６に示すＣ部の拡大図である。図７及び図８は、管体５と本体６との接続部分を示す。
【００１９】
管体５は、例えば棒状部１６、ラッチ部１７、バネ１８及びカバー１９を備える。
【００２０】
棒状部１６は中空である。棒状部１６の内側に風路９が形成される。棒状部１６の下側の端部に吸い込み具４が接続される。棒状部１６の上側の端部１６ａに本体６が接続される。本体６は、筒状の端部６ａを備える。棒状部１６の端部１６ａは、本体６の端部６ａに接続される。棒状部１６の端部１６ａが本体６の端部６ａに接続されると、端部１６ａは端部６ａの内側に配置される。
【００２１】
ラッチ部１７は、棒状部１６に設けられる。ラッチ部１７は、棒状部１６の外側に配置される。図８は、ラッチ部１７がカバー１９を介して棒状部１６に固定される例を示す。ラッチ部１７は、棒状部１６に直接固定されても良い。ラッチ部１７は、中央部が棒状部１６に支持される。ラッチ部１７の先端部１７ａは、棒状部１６の端部１６ａの先端側に延びる。先端部１７ａは、ラッチ部１７の上側の端部である。ラッチ部１７の先端部１７ａは鉤形状である。本体６が管体５に接続されていなければ、ラッチ部１７の先端部１７ａは棒状部１６の端部１６ａに対向する。ラッチ部１７の先端部１７ａに、先端に近づくに従って棒状部１６の端部１６ａから離れるガイド面１７ｂが形成される。
【００２２】
ラッチ部１７は、シーソーのように動く。即ち、ラッチ部１７の先端部１７ａが棒状部１６の端部１６ａに近づくと、ラッチ部１７の下側の端部は棒状部１６から離れる。ラッチ部１７の先端部１７ａが棒状部１６の端部１６ａから離れると、ラッチ部１７の下側の端部は棒状部１６に近づく。図８は、ラッチ部１７が第１位置に配置された状態を示す。第１位置は、本体６を棒状部１６の端部１６ａに接続するための位置である。本体６の端部６ａに、外側に突出する凸部６ｂが設けられる。ラッチ部１７が第１位置に配置されると、先端部１７ａが凸部６ｂに掛かる。これにより、棒状部１６が本体６の端部６ａから抜けることを防止する。
【００２３】
ラッチ部１７は、先端部１７ａが棒状部１６の端部１６ａから離れることによって第１位置から第２位置に変位する。第２位置は、本体６を棒状部１６の端部１６ａから取り外し可能にする位置である。ラッチ部１７の下側の端部は釦形状である。釦を押すようにラッチ部１７の下側の端部を棒状部１６に近づければ、ラッチ部１７を第２位置に配置することができる。
【００２４】
ラッチ部１７は、先端部１７ａが棒状部１６の端部１６ａに近づくようにバネ１８によって力を受ける。このため、ラッチ部１７にバネ１８からの力以外の外力が作用しなければ、ラッチ部１７は第１位置に配置される。即ち、バネ１８は、ラッチ部１７が第１位置に配置されるようにラッチ部１７を押し付ける押し付け部の機能を有する。
【００２５】
カバー１９は、棒状部１６に設けられる。カバー１９は、ラッチ部１７を外側から覆う。図７及び図８は、カバー１９がラッチ部１７のうち先端部１７ａ以外の部分を覆う例を示す。図７及び図８に示す例では、ラッチ部１７の先端部１７ａがカバー１９の上端部１９ａから突出する。カバー１９の上端部１９ａは、ラッチ部１７の先端部１７ａより低い位置に配置される。
【００２６】
棒状部１６に、凹部１６ｂ及び凹部１６ｃ（図７では図示せず）が形成される。凹部１６ｂは、例えば縦長の窪みである。凹部１６ｃは、例えば縦長の窪みである。例えば、凹部１６ｂは、棒状部１６の表面のうち左方向を向く表面に形成される。凹部１６ｃは、棒状部１６の表面のうち右方向を向く表面に形成される。棒状部１６の表面のうち前方向を向く表面には、ラッチ部１７及びカバー１９が設けられる。管体５を上から見ると、凹部１６ｂと凹部１６ｃとの間にラッチ部１７及びカバー１９が配置される。凹部１６ｂ及び凹部１６ｃは、例えばラッチ部１７及びカバー１９より低い位置に形成される。
【００２７】
図９は、支持装置３を示す斜視図である。図１０は、支持装置３を示す側面図である。図１１は、支持装置３を示す平面図である。支持装置３は、例えば基体２０、支持体２１及び保持体２２を備える。
【００２８】
基体２０は、床等に置かれる部分である。基体２０は、支持装置３の中で最も下に配置される。基体２０は、掃除機２の吸い込み具４を支持する。支持体２１は、基体２０及び保持体２２に設けられる。支持体２１は、保持体２２を支持する。支持体２１は、例えば柱状である。支持体２１は、例えば下端部が基体２０に固定される。また、支持体２１は、上端部が保持体２２に固定される。保持体２２は、基体２０より上方に配置される。図９から図１１に示す例では、保持体２２は基体２０の直上に配置される。保持体２２は、管体５を保持する。本実施の形態では、保持体２２が棒状部１６を保持する例について説明する。
【００２９】
図１２は、基体２０を拡大した斜視図である。図１３は、図４のＤ−Ｄ線で基体２０を切断した図である。基体２０は、例えば底板２３、固定部２４及びカバー２５を備える。
【００３０】
固定部２４は、底板２３に設けられる。固定部２４に、支持体２１の下端部が固定される。支持体２１は、固定部２４から上方に延びる。カバー２５は、底板２３及び固定部２４に設けられる。カバー２５は、底板２３のみに設けられても良い。底板２３及びカバー２５により、一方向に開口する空間２６が形成される。空間２６は、吸い込み具４を配置するための空間である。吸い込み具４は、上記開口から空間２６に進入する。
【００３１】
カバー２５は、吸い込み具４を特定の位置に配置するための位置決め部としての機能を有する。上記特定位置は、掃除機２を支持装置３に支持させる際に吸い込み具４を配置しておくべき位置である。即ち、吸い込み具４が特定位置に配置されていれば、掃除機２を簡単に支持装置３に支持させることができる。
【００３２】
図１４は、図４のＤ−Ｄ線で掃除機２の一部と支持装置３の一部とを切断した図である。図１４は、吸い込み具４が特定位置に配置された状態を示す。吸い込み具４が特定位置に配置されると、カバー２５は、吸い込み具４の前面、右側の側面及び左側の側面に対向する。カバー２５が吸い込み具４に三方から対向することにより、吸い込み具４は特定位置に配置される。なお、カバー２５は、特定位置に配置された吸い込み具４の上面にも対向する。底板２３の上面は、特定位置に配置された吸い込み具４に下方から対向する。
【００３３】
基体２０はスロープ部２７を更に備えても良い。スロープ部２７は、吸い込み具４を空間２６に入れ易くするために備えられる。スロープ部２７の上面は傾斜面である。スロープ部２７は、底板２３に隣接する。基体２０にスロープ部２７が備えられていれば、吸い込み具４を持ち上げることなく吸い込み具４を特定位置まで移動させることができる。
【００３４】
図１３及び図１４は、吸い込み具４が特定位置に配置されるとカバー２５に形成された開口がスロープ部２７によって塞がれる例を示す。このような機能を実現するため、基体２０は可動部２８ａ及びリンク２８ｂを備えても良い。例えば、可動部２８ａは第１軸を介して底板２３に設けられる。リンク２８ｂは、第２軸を介して可動部２８ａに連結される。リンク２８ｂは、第３軸を介してスロープ部２７に連結される。第１軸、第２軸及び第３軸は、例えば平行に配置される。空間２６に進入した吸い込み具４によって可動部２８ａが押されることにより、スロープ部２７が可動部２８ａに連動して、上記開口を塞ぐ位置に配置される。
【００３５】
図１５は、保持体２２を拡大した斜視図である。図１６は、図１０のＥ−Ｅ線で保持体２２を切断した図である。図１７は、図４のＡ−Ａ線で保持体２２を切断した図である。保持体２２は、例えばケース２９及び保持部３０を備える。
【００３６】
ケース２９は、支持体２１の上端部に固定される。保持部３０は、ケース２９に支持される。ケース２９の一部は、上方から見て凹形状である。ケース２９の凹形状の部分により、上方及び下方に開口する空間３１が形成される。空間３１は、上下一直線状に側方にも開口する。空間３１が側方に開口する方向は、空間２６が側方に開口する方向と同じである。本実施の形態に示す例では、掃除機２が支持装置３に支持されると、管体５の上端部と本体６の下端部とが空間３１に配置される。
【００３７】
保持部３０は、管体５を保持する。本実施の形態に示す例では、保持部３０は、棒状部１６を両側から挟んで管体５を保持する。保持部３０は、例えば保持板３２、保持板３３、固定部材３４、ガイド３５、ストッパ３６、ガイド３７、ストッパ３８、バネ３９及びバネ４０を備える。
【００３８】
保持板３２及び保持板３３は、棒状部１６を両側から挟むための部材である。保持板３２及び保持板３３は、互いに対向するように配置される。空間３１に何も配置されていなければ、保持板３３は保持板３２に対向する。保持板３２は、一方の端部が固定部材３４によってケース２９に固定される。保持板３２は、ケース２９の内壁２９ａに沿うように配置される。内壁２９ａは、ケース２９の上記凹形状の一部を形成する。保持板３２の先端側の部分は、例えば棒状部１６の表面の湾曲に合わせて湾曲される。保持板３２の先端部に、凸部３２ａが設けられる。凸部３２ａは、保持板３３側に突出する。凸部３２ａは上下に延びる。
【００３９】
保持板３３は、例えば保持板３２と対称に配置される。保持板３３は、一方の端部が固定部材３４によってケース２９に固定される。保持板３３は、ケース２９の内壁２９ｂに沿うように配置される。内壁２９ｂは、ケース２９の上記凹形状の一部を形成する。内壁２９ｂは、内壁２９ａに対向する。保持板３３の先端側の部分は、例えば棒状部１６の表面の湾曲に合わせて湾曲される。保持板３３の先端部に、凸部３３ａが設けられる。凸部３３ａは、保持板３２側に突出する。凸部３３ａは上下に延びる。凸部３３ａは凸部３２ａに対向する。
【００４０】
ガイド３５は、保持板３２の裏面に設けられる。保持板３２の表面は保持板３３に対向する。保持板３２の裏面は、表面が向く方向と反対の方向を向く面である。例えば、ガイド３５と保持板３２とにより、上下に開口するガイド孔３５ａが形成される。
【００４１】
ストッパ３６は、ケース２９に設けられる。ストッパ３６は、例えば上下に延びる棒状の部材である。ストッパ３６は、ガイド孔３５ａを貫通する。保持板３２は、一方の端部が固定された状態で、保持板３３に接近及び離隔するように変位可能である。ストッパ３６がガイド孔３５ａを貫通しているため、保持板３２の動きはストッパ３６がガイド孔３５ａに留まることができる範囲に制限される。即ち、ガイド３５は、保持板３２の動きを案内する。
【００４２】
ガイド３７は、保持板３３の裏面に設けられる。保持板３３の表面は保持板３２に対向する。保持板３３の裏面は、表面が向く方向とは反対の方向を向く面である。例えば、ガイド３７と保持板３３とにより、上下に開口するガイド孔３７ａが形成される。
【００４３】
ストッパ３８は、ケース２９に設けられる。ストッパ３８は、例えば上下に延びる棒状の部材である。ストッパ３８は、ガイド孔３７ａを貫通する。保持板３３は、一方の端部が固定された状態で、保持板３２に接近及び離隔するように変位可能である。ストッパ３８がガイド孔３７ａを貫通しているため、保持板３３の動きはストッパ３８がガイド孔３７ａに留まることができる範囲に制限される。即ち、ガイド３７は、保持板３３の動きを案内する。
【００４４】
バネ３９は、ケース２９に支持される。バネ３９は、保持板３２を保持板３３側に押し付ける。図１６は、バネ３９がガイド３５を介して保持板３２を押し付ける例を示す。ストッパ３６がガイド孔３５ａを貫通しているため、保持板３２の保持板３３側への変位は、ストッパ３６がガイド３５に接触する位置までに制限される。
【００４５】
バネ４０は、ケース２９に支持される。バネ４０は、保持板３３を保持板３２側に押し付ける。図１６は、バネ４０がガイド３７を介して保持板３３を押し付ける例を示す。ストッパ３８がガイド孔３７ａを貫通しているため、保持板３３の保持板３２側への変位は、ストッパ３８がガイド３７に接触する位置までに制限される。
【００４６】
保持板３２及び保持板３３は、バネ３９及びバネ４０からの力以外の外力が作用しなければ、最も接近する位置に配置される。バネ３９の押付力及びバネ４０の押付力に逆らう力が保持板３２及び保持板３３に作用すると、保持板３２と保持板３３との間隔が広がるように保持板３２及び保持板３３は変位する。
【００４７】
ケース２９は、解除部４１及び規制部４２を備える。解除部４１は、ケース２９の内壁２９ｃから突出する。内壁２９ｃは、ケース２９の上記凹形状の一部を形成する。内壁２９ｃは、上記凹形状の部分を形成する内壁のうち、内壁２９ａ及び内壁２９ｂの間に配置された奥側の内壁である。解除部４１は、内壁２９ｃから水平に延び、先端部分が下方に曲げられる。解除部４１の先端部分の下面は、内壁２９ｃから離れるに従って下がる傾斜面である。
【００４８】
規制部４２は、解除部４１と同様にケース２９の内壁２９ｃから突出する。規制部４２は、内壁２９ｃから水平に延びる。規制部４２は、解除部４１より下方に配置される。規制部４２が内壁２９ｃから突出する長さは、解除部４１が内壁２９ｃから突出する長さより短い。解除部４１及び規制部４２は、例えば保持板３２及び保持板３３より上方に配置される。
【００４９】
次に、掃除機２を支持装置３に支持させる手順について説明する。図１８は、掃除機２を支持装置３に支持させる直前の状態を示す図である。掃除機２で掃除をする人は、ハンドル１２を持って吸い込み具４を前後に動かす。このため、掃除機２は、吸い込み具４が本体６より前側となるように斜めに配置される。
【００５０】
掃除が終わり掃除機２を支持装置３に支持させる場合は、掃除機２を掃除の時の姿勢のまま動かし、吸い込み具４を上記特定位置に配置する。図１９は、吸い込み具４が特定位置に配置された状態を示す図である。図１８に示す状態から吸い込み具４をＦ方向に動かせば、図１９に示す状態になる。吸い込み具４をＦ方向に動かす動作は、掃除機２で掃除をする時の動作と同じである。このため、吸い込み具４を特定位置に配置するために特殊な動作を行う必要はない。
【００５１】
吸い込み具４を特定位置に配置した直後は、図１９に示すように本体６が吸い込み具４より後方に配置される。ハンドル１２を持つ人は、吸い込み具４が特定位置に配置された状態で本体６及び管体５をＧ方向に移動させる。吸い込み具４をＦ方向に動かす動作と本体６及び管体５をＧ方向に移動させる動作は、掃除機２を前方向に動かす動作である。このため、上記２つの動作を一連の動作として行うことができる。
【００５２】
図１９に示す状態から本体６及び管体５をＧ方向に移動させると、管体５の棒状部１６が保持板３２及び保持板３３に接触する。棒状部１６が保持板３２及び保持板３３に接触する前の保持板３２の先端と保持板３３の先端との間隔は、棒状部１６の径より小さい。棒状部１６が保持板３２及び保持板３３に押し付けられると、保持板３２と保持板３３との間隔が広がるように保持板３２及び保持板３３は変位する。また、棒状部１６の中心が凸部３２ａ及び凸部３３ａの間を通過すると、保持板３２と保持板３３との間隔が狭まるように保持板３２及び保持板３３は変位する。これにより、棒状部１６が保持板３２及び保持板３３によって挟まれ、管体５が保持体２２に保持される。図１から図４は、管体５が保持体２２に保持された状態を示す。図２０は、図３のＨ−Ｈ断面の一部を示す図である。本実施の形態に示す例では、管体５が保持体２２に保持されると、凸部３２ａが凹部１６ｂに嵌る。また、凸部３３ａが凹部１６ｃに嵌る。
【００５３】
本実施の形態に示す例では、吸い込み具４を特定位置に配置した状態で管体５を保持体２２に側方から押し付けることにより、掃除機２を保持体２２に保持させることができる。このため、掃除機２を支持装置３に簡単に支持させることができる。
【００５４】
次に、掃除機２をスティック型の掃除機として支持装置３から取り外す方法について説明する。
【００５５】
図１から図４、及び図２０に示すように、棒状部１６が保持板３２及び保持板３３によって挟まれることにより、管体５は保持体２２に保持される。掃除機２をスティック型の掃除機として支持装置３から外す場合は、管体５が保持体２２に保持されている状態から管体５を特定の横方向に移動させれば良い。換言すれば、掃除機２が保持体２２に保持されている状態から掃除機２を特定の横方向に移動させれば良い。即ち、掃除をする人は、ハンドル１２を持って図２に示すように本体６をＪ方向に移動させる。Ｊ方向は、掃除機２を後方向に動かす方向である。本体６を図１９に示すＧ方向と反対の方向に移動させても良い。本体６をＧ方向と反対の方向に移動させた場合も、移動させた直後は本体６がＪ方向に移動する。
【００５６】
図２に示す状態から本体６をＪ方向に動かすと、棒状部１６を含む管体５がＪ方向に移動する。棒状部１６がＪ方向に移動すると、保持板３２と保持板３３との間隔が広がるように保持板３２及び保持板３３は変位する。また、棒状部１６の中心が凸部３２ａ及び凸部３３ａの間を通過すると、保持板３２と保持板３３との間隔が狭まるように保持板３２及び保持板３３は変位する。これにより、棒状部１６が保持板３２及び保持板３３から外れる。即ち、管体５が保持体２２から外れる。
【００５７】
掃除をする人は、ハンドル１２を持って管体５が後方向に移動するように本体６を動かせば、管体５を保持体２２から外すことができる。管体５が保持体２２から外れる際にラッチ部１７にバネ１８からの力以外の外力は作用しない。ラッチ部１７は第１位置に配置されたままである。このため、掃除機２をスティック型の掃除機として支持装置３から取り外すことができる。
【００５８】
また、掃除機２はハンディ型の掃除機としても使用される。以下に、掃除機２をハンディ型の掃除機として支持装置３から取り外す方法について説明する。
【００５９】
図１から図４、及び図２０に示すように、棒状部１６が保持板３２及び保持板３３によって挟まれることにより、管体５は保持体２２に保持される。掃除機２をハンディ型の掃除機として支持装置３から外す場合は、管体５が保持体２２に保持されている状態から管体５を上方に移動させれば良い。換言すれば、掃除機２が保持体２２に保持されている状態から掃除機２を上方に移動させれば良い。即ち、掃除をする人は、ハンドル１２を持って図２に示すように本体６をＫ方向に移動させる。図２に示す状態から本体６をＫ方向に動かすと、棒状部１６を含む管体５が本体６に引っ張られてＫ方向に移動する。
【００６０】
図２１は、図４のＡ−Ａ線で掃除機２の一部と支持装置３の一部とを切断した図である。図２１は、管体５が保持体２２に保持されている状態を示す。図２１は、本体６及び管体５をＫ方向に動かす前の状態を示す。図２２は、図２１に示すＭ部を拡大した図である。
【００６１】
保持体２２に備えられた解除部４１は、ラッチ部１７を凸部６ｂから外すための部材である。図２１及び図２２に示す状態では、解除部４１は、ラッチ部１７の上方に配置される。解除部４１は、ラッチ部１７のガイド面１７ｂに上方から対向する。
【００６２】
保持体２２に備えられた規制部４２は、管体５が上方に移動することを規制するための部材である。図２１及び図２２に示す状態では、規制部４２は、カバー１９の上方に配置される。規制部４２の下面は、カバー１９の上端面に対向する。ラッチ部１７は、本体６の端部６ａと規制部４２との間を通過するように配置される。
【００６３】
図２２に示す距離Ｌ１は、解除部４１の水平部分の下面とラッチ部１７の先端との鉛直方向の距離である。図２２に示す距離Ｌ２は、規制部４２の下面とカバー１９の上端との鉛直方向の距離である。距離Ｌ２は、距離Ｌ１より短い。
【００６４】
図２１及び図２２に示す状態から管体５が上方に移動すると、先ず、解除部４１の先端部分の下面にラッチ部１７のガイド面１７ｂが接触する。ガイド面１７ｂは、ラッチ部１７の先端に近づくに従って本体６の端部６ａから離れるように形成される。このため、ガイド面１７ｂに解除部４１が接触した後も更に管体５が上方に移動すると、ラッチ部１７は、先端部１７ａが本体６の端部６ａから離れるように変位する。これにより、ラッチ部１７が第２位置に配置され、ラッチ部１７が凸部６ｂから外れる。
【００６５】
ラッチ部１７が第２位置に配置された後も更に管体５が上方に移動すると、規制部４２の下面にカバー１９の上端部１９ａが接触する。カバー１９が規制部４２に接触する時にはラッチ部１７は既に凸部６ｂから外れている。このため、カバー１９が規制部４２に接触することにより、管体５の上方への移動が止められる。
【００６６】
図２３は、図４のＡ−Ａ線で掃除機２の一部と支持装置３の一部とを切断した図である。図２４は、図２３に示すＮ部を拡大した図である。図２３及び図２４は、規制部４２の下面にカバー１９の上端部１９ａが接触した状態を示す。図２３及び図２４に示す状態から本体６が更に上方に持ち上げられても、管体５は上方に移動しない。即ち、図２３及び図２４に示す状態から本体６が更に上方に持ち上げられると、本体６が管体５から外れる。図２５は、本体６が管体５から外れた状態を示す図である。
【００６７】
掃除をする人は、ハンドル１２を持って本体６を持ち上げれば、本体６を管体５から外すことができる。図２１及び図２２に示す状態から本体６が上方に移動しても、管体５は保持体２２に保持されたままである。即ち、棒状部１６を保持板３２及び保持板３３で挟んだままラッチ部１７を第２位置に配置できる。このため、掃除機２をハンディ型の掃除機として支持装置３から簡単に取り外すことができる。また、掃除機２をハンディ型の掃除機として支持装置３から取り外しても、吸い込み具４及び管体５は支持装置３から外れない。
【００６８】
支持装置３に支持されている管体５に本体６を取り付ける場合は、端部６ａを空間３１に上方から差し込むように本体６を移動させれば良い。
【００６９】
本実施の形態に示す例であれば、支持装置３に支持されている掃除機２をハンディ型の掃除機として簡単に取り外すことができる。本体６を管体５から外す際に、掃除機２の全体を支持装置３から外す必要はない。
【００７０】
本実施の形態では、保持体２２がラッチ部１７の上側の端部に作用してラッチ部１７を第２位置に変位させる例について説明した。保持体２２は、ラッチ部１７の下側の端部に作用してラッチ部１７を第２位置に変位させても良い。
【００７１】
本実施の形態では、解除部４１がガイド面１７ｂに接触した後に規制部４２がカバー１９に接触する例について説明した。解除部４１及びラッチ部１７が十分な強度を備えていれば、規制部４２を備える必要はない。しかし、規制部４２を備えていれば、管体５の上方への移動を止めるための衝撃を規制部４２で受けることができる。
【００７２】
本実施の形態に示す例では、掃除機２が保持体２２に保持されると、図３及び図４に示すように、本体６の一部が吸い込み具４の直上に配置される。このため、掃除機２及び支持装置３を設置するために広いスペースを必要としない。
【００７３】
本実施の形態では、支持装置３が充電機能を備えていない例について説明した。支持装置３は、充電機能を備えても良い。例えば、掃除機２が保持体２２によって保持されると、二次電池１５を充電するための電力が支持装置３から掃除機２に供給される。
【００７４】
図２６は、支持装置３の他の例を示す断面図である。図２６に示す例では、保持板３２の端部にガイド面３２ｂが形成される。ガイド面３２ｂは、保持板３２の先端に向かうに従って保持板３３から離れる傾斜面である。また、保持板３３の先端にガイド面３３ｂが形成される。ガイド面３３ｂは、保持板３３の先端に向かうに従って保持板３２から離れる傾斜面である。図２６に示す例であれば、管体５が保持板３２及び保持板３３に押し付けられた際に、保持板３２及び保持板３３がスムーズに広がる。このため、掃除機２を支持装置３に簡単に支持させることができる。
【符号の説明】
【００７５】
１  掃除機システム、  ２  掃除機、  ３  支持装置、  ４  吸い込み具、  ５  管体、  ６  本体、  ６ａ  端部、  ６ｂ  凸部、  ７  開口、  ８  開口、  ９  風路、  １０  送風機、  １１  集塵部、  １２  ハンドル、  １３  操作パネル、  １４  制御装置、  １５  二次電池、  １６  棒状部、  １６ａ  端部、  １６ｂ  凹部（第１凹部）、  １６ｃ  凹部（第２凹部）、  １７  ラッチ部、  １７ａ  先端部、  １７ｂ  ガイド面、  １８  バネ、  １９  カバー、  １９ａ  上端部、  ２０  基体、  ２１  支持体、  ２２  保持体、  ２３  底板、  ２４  固定部、  ２５  カバー、  ２６  空間、  ２７  スロープ部、  ２８ａ  可動部、  ２８ｂ  リンク、  ２９  ケース、  ２９ａ  内壁、  ２９ｂ  内壁、  ２９ｃ  内壁、  ３０  保持部、  ３１  空間、  ３２  保持板（第１保持板）、  ３２ａ  凸部（第１凸部）、  ３２ｂ  ガイド面、  ３３  保持板（第２保持板）、  ３３ａ  凸部（第２凸部）、  ３３ｂ  ガイド面、  ３４  固定部材、  ３５  ガイド、  ３５ａ  ガイド孔、  ３６  ストッパ、  ３７  ガイド、  ３７ａ  ガイド孔、  ３８  ストッパ、  ３９  バネ、  ４０  バネ、  ４１  解除部、  ４２  規制部
【図１】
2018015421.tif 000003
【図２】
2018015421.tif 000004
【図３】
2018015421.tif 000005
【図４】
2018015421.tif 000006
【図５】
2018015421.tif 000007
【図６】
2018015421.tif 000008
【図７】
2018015421.tif 000009
【図８】
2018015421.tif 000010
【図９】
2018015421.tif 000011
【図１０】
2018015421.tif 000012
【図１１】
2018015421.tif 000013
【図１２】
2018015421.tif 000014
【図１３】
2018015421.tif 000015
【図１４】
2018015421.tif 000016
【図１５】
2018015421.tif 000017
【図１６】
2018015421.tif 000018
【図１７】
2018015421.tif 000019
【図１８】
2018015421.tif 000020
【図１９】
2018015421.tif 000021
【図２０】
2018015421.tif 000022
【図２１】
2018015421.tif 000023
【図２２】
2018015421.tif 000024
【図２３】
2018015421.tif 000025
【図２４】
2018015421.tif 000026
【図２５】
2018015421.tif 000027
【図２６】
2018015421.tif 000028